(57)【要約】  短尺とした場合のメリットを維持しながら微妙なセッティングを要求することなく優れた振り心地のゴルフクラブシャフト及びゴルフクラブを提供する。長手方向に延びるシャフト本体と、前記シャフト本体に設けられるとともにシャフト重心を前記長手方向の先端側にシフトさせる重心シフト部材と、を有し、前記シャフト本体をシャフト全長が４３インチ以下となるように切断したときに、前記シャフト重心の位置は、前記長手方向の先端部を０％として、前記長手方向の基端部を１００％としたときに、３９％〜４５％の範囲に設定される、ことを特徴とするゴルフクラブシャフト。
2020129114.tif 000002
【特許請求の範囲】
【請求項１】
長手方向に延びるシャフト本体と、
前記シャフト本体に設けられるとともにシャフト重心を前記長手方向の先端側にシフトさせる重心シフト部材と、
を有し、
前記シャフト本体をシャフト全長が４３インチ以下となるように切断したときに、前記シャフト重心の位置は、前記長手方向の先端部を０％として、前記長手方向の基端部を１００％としたときに、３９％〜４５％の範囲に設定される、
ことを特徴とするゴルフクラブシャフト。
【請求項２】
前記シャフト本体の前記長手方向の基端側の切断長は、前記シャフト本体の前記長手方向の先端側の切断長よりも大きい、
ことを特徴とする請求項１に記載のゴルフクラブシャフト。
【請求項３】
前記シャフト本体の重量に対する前記重心シフト部材の重量の比率は、１４％〜３３％の範囲に設定される、
ことを特徴とする請求項１又は請求項２に記載のゴルフクラブシャフト。
【請求項４】
前記重心シフト部材は、前記シャフト本体の内周面に埋設された金属円筒を有する、
ことを特徴とする請求項１から請求項３のいずれかに記載のゴルフクラブシャフト。
【請求項５】
前記シャフト本体は、前記長手方向の基端側から先端側に向かって順に、シャフト外径が相対的に緩やかに減少する第１の領域と、シャフト外径が相対的に急峻に減少する第２の領域と、シャフト外径の相対的な変化量が最も小さい第３の領域とを有する、
ことを特徴とする請求項１から請求項４のいずれかに記載のゴルフクラブシャフト。
【請求項６】
前記長手方向に占める前記第１の領域の割合が３０％以上であり、前記長手方向に占める前記第２の領域の割合が４５％〜６０％であり、前記長手方向に占める前記第３の領域の割合が１０％〜２５％である、
ことを特徴とする請求項５に記載のゴルフクラブシャフト。
【請求項７】
前記第１の領域の外周面にグリップが取り付けられ、前記第３の領域の内周面に、前記重心シフト部材としての金属円筒が埋設される、
ことを特徴とする請求項５又は請求項６に記載のゴルフクラブシャフト。
【請求項８】
請求項１から請求項７のいずれかに記載のゴルフクラブシャフトにクラブヘッドとグリップを装着したことを特徴とするゴルフクラブ。
【発明の詳細な説明】
【技術分野】
【０００１】
本発明は、ゴルフクラブシャフト及びゴルフクラブに関する。
【背景技術】
【０００２】
出願人は、全体が金属材料からなる金属円筒と、この金属円筒の長手方向の少なくとも一部を含んで、その外周に複数層巻回した未硬化熱硬化性樹脂プリプレグを熱硬化させてなる中空筒状のシャフト本体とを有するゴルフクラブシャフトについて、特許権を取得している（特許文献１）。金属円筒は、中空筒状のシャフト本体の長手方向の一部に位置しており、金属円筒の外径側の少なくとも一部は、シャフト本体の内壁に形成された埋没凹円筒部内に埋没されていて、金属円筒の手元側円筒端面とシャフト本体の埋没凹円筒部の手元側凹円筒端面が当接している。
【先行技術文献】
【特許文献】
【０００３】
【特許文献１】特許第４８８００６３号公報
【発明の概要】
【発明が解決しようとする課題】
【０００４】
出願人は、例えば、シャフト全長が４３インチより大きい（例えば４５インチ以上）シャフト本体をシャフト全長が４３インチ以下となるように切断した、いわゆる短尺ゴルフクラブシャフトの研究開発を進めている。短尺ゴルフクラブシャフトは、短いので取り回しが楽であり、スイートスポットで正確なインパクトを迎え易いのでミート率が向上するというメリットがある。【０００５】
一方、短尺ゴルフクラブシャフトは、とりわけ上級者に対して振り心地の違和感を与え易く、ボールの打ち出し角度が小さくなりがち（ボールが上がり難い）というデメリットがある。そこで、短尺ゴルフクラブシャフトを使用する場合、クラブヘッドの重量を、短尺でない通常のゴルフクラブシャフトに装着するクラブヘッドの重量よりも大きくすることが考えられる。【０００６】
しかし、クラブヘッドの重量を大きくすることは、ゴルフクラブ全体の重量やバランス等に影響を及ぼすので、場合によっては、短尺ゴルフクラブシャフトの全長の調整を含めた微妙なセッティングが要求されるおそれがある。【０００７】
本発明は、以上の問題意識に基づいて完成されたものであり、短尺とした場合のメリットを維持しながら微妙なセッティングを要求することなく優れた振り心地のゴルフクラブシャフト及びゴルフクラブを提供することを目的とする。
【課題を解決するための手段】
【０００８】
本実施形態のゴルフクラブシャフトは、長手方向に延びるシャフト本体と、前記シャフト本体に設けられるとともにシャフト重心を前記長手方向の先端側にシフトさせる重心シフト部材と、を有し、前記シャフト本体をシャフト全長が４３インチ以下となるように切断したときに、前記シャフト重心の位置は、前記長手方向の先端部を０％として、前記長手方向の基端部を１００％としたときに、３９％〜４５％の範囲に設定される、ことを特徴としている。【０００９】
前記シャフト重心の位置は、前記長手方向の先端部を０％として、前記長手方向の基端部を１００％としたときに、４１％〜４４％の範囲に設定されることが好ましく、４２．５％〜４３．５％の範囲に設定されることがより好ましい。【００１０】
前記シャフト本体の前記長手方向の基端側の切断長は、前記シャフト本体の前記長手方向の先端側の切断長よりも大きくすることができる。ここで、先端側の切断長はゼロを含む概念で使用する。つまり、先端側と基端側を切断する場合のほか、先端側を切断せずに基端側だけを切断する場合を含む。【００１１】
前記シャフト本体の重量に対する前記重心シフト部材の重量の比率は、１４％〜３３％の範囲に設定されることができる。【００１２】
前記シャフト本体の重量に対する前記重心シフト部材の重量の比率は、１７％〜３０％の範囲に設定されることが好ましく、２０％〜２５％の範囲に設定されることがより好ましい。【００１３】
前記重心シフト部材は、前記シャフト本体の内周面に埋設された金属円筒を有することができる。【００１４】
前記シャフト本体は、前記長手方向の基端側から先端側に向かって順に、シャフト外径が相対的に緩やかに減少する第１の領域と、シャフト外径が相対的に急峻に減少する第２の領域と、シャフト外径の相対的な変化量が最も小さい第３の領域とを有することができる。【００１５】
前記長手方向に占める前記第１の領域の割合が３０％以上であり、前記長手方向に占める前記第２の領域の割合が４５％〜６０％であり、前記長手方向に占める前記第３の領域の割合が１０％〜２５％であることができる。【００１６】
前記第１の領域の外周面にグリップが取り付けられ、前記第３の領域の内周面に、前記重心シフト部材としての金属円筒が埋設されることができる。【００１７】
本実施形態のゴルフクラブは、上述したいずれかのゴルフクラブシャフトにクラブヘッドとグリップを装着したことを特徴としている。
【発明の効果】
【００１８】
本発明によれば、短尺とした場合のメリットを維持しながら微妙なセッティングを要求することなく優れた振り心地のゴルフクラブシャフト及びゴルフクラブを提供することができる。
【図面の簡単な説明】
【００１９】
【図１】本実施形態によるゴルフクラブの外観構成の一例を示す図である。
【図２】本実施形態によるゴルフクラブシャフトの概略構成の一例を示す図である。
【図３】図２において丸で囲ったシャフト本体と金属円筒の当接部を拡大して示す図である。
【図４】図２のゴルフクラブシャフトを先端側から見た図である。
【図５】本実施形態によるゴルフクラブシャフトの３つのサンプルの特性を示す図である。
【図６】本実施形態によるゴルフクラブシャフトの長手方向のシャフト外径の推移の一例を示す図である。
【図７】本実施形態によるゴルフクラブシャフトと比較例１−３によるゴルフクラブシャフトの長手方向のシャフト外径の推移の一例を示す図である。
【図８】シャフト本体を構成する積層プリプレグの一例を示す図である。
【発明を実施するための形態】
【００２０】
図１は、本実施形態によるゴルフクラブ１０の外観構成の一例を示している。ゴルフクラブ１０は、長手方向に延びるゴルフクラブシャフト１００と、ゴルフクラブシャフト１００の先端側（チップ側）に装着されたクラブヘッド２００と、ゴルフクラブシャフト１００の基端側（バット側）に装着されたグリップ３００とを有している。図１では、クラブヘッド２００をアイアンクラブヘッドとして描いているが、クラブヘッド２００はドライバークラブヘッドであってもよい。
【００２１】
図２〜図４を参照して、本実施形態によるゴルフクラブシャフト１００の概略構成について説明する。図２において、ゴルフクラブシャフト１００は、基端側（バット側）から先端側（チップ側）に向かってシャフト外径が一律のテーパ率で減少するように描いているが、これは作図の便宜上の理由によるものである。実際には、ゴルフクラブシャフト１００のシャフト外径は、図６を用いて後述するような特徴的な構成を有している。
【００２２】
ゴルフクラブシャフト１００は、繊維強化樹脂からなる中空筒状のシャフト本体１１０と、シャフト本体１１０の先端側に設けられた金属円筒（重心シフト部材、おもり）１２０とを有している。
【００２３】
シャフト本体１１０は、例えば、未硬化熱硬化性樹脂プリプレグを複数層巻回し熱硬化させて形成したＦＲＰ（Fiber  Reinforced  Plastics：繊維強化プラスチック）製である。シャフト本体１１０（ゴルフクラブシャフト１００）は、長手方向に延びるとともに、初期状態ではシャフト全長が４３インチより大きく（例えば４５インチ以上）、使用状態ではシャフト全長が４３インチ以下となるように切断された、いわゆる短尺用のシャフト本体（ゴルフクラブシャフト）である。シャフト本体１１０の長手方向の基端側の切断長は、シャフト本体１１０の長手方向の先端側の切断長よりも大きい。ここで、シャフト本体１１０の先端側の切断長はゼロを含む概念で使用する。つまり、シャフト本体１１０の先端側と基端側を切断する場合のほか、シャフト本体１１０の先端側を切断せずに基端側だけを切断してもよい。なお、シャフト本体１１０がシャフト全長を調整（短縮）するために切断されたかどうかは、シャフト本体１１０の先端面と基端面の少なくとも一方を観察することにより把握することができる。
【００２４】
金属円筒１２０は、シャフト本体１１０の先端側に設けられることにより、シャフト重心（ゴルフクラブシャフト１００の重心位置、バランスポイント）を先端側にシフトする機能を有している。金属円筒１２０は、例えば、ステンレス、鉄、アルミニウム、タングステン等の金属材料から構成されるが、重量を付加できる材料であればよく、これらに限られるものではない。あるいは、金属円筒１２０に代えて、熱可塑性樹脂、熱硬化性樹脂、ゴム等の樹脂材料から構成される樹脂円筒を「重心シフト部材、おもり」とすることも可能である。熱可塑性樹脂としては、例えば、ポリプロピレン、ポリテレフタレート、ポリエチレン等を用いることができる。熱硬化性樹脂としては、例えば、エポキシ樹脂、フェノール樹脂、不飽和ポリエステル樹脂、ポリウレタン、ポリイミド等を用いることができる。ゴムとしては、例えば、クロロプレンゴム、フッ素ゴム、塩素化ポリエチレン、ニトリルゴム、ブチルゴム、エチレンプロピレンゴム等を用いることができる。
【００２５】
図３に示すように、シャフト本体１１０の内壁１１１の先端側端部には、埋没凹円筒部１１２が形成されている。この埋没凹円筒部１１２内には金属円筒１２０の外径側の一部が埋没され（シャフト本体１１０の内周面に金属円筒１２０が埋設され）、金属円筒１２０の基端側円筒端面１２１と埋没凹円筒部１１２の基端側円筒端面１１３とが長手方向に突き合わされて当接している。これにより、スイング時あるいは打突時の衝撃が加わっても金属円筒１２０がシャフト本体１１０から基端側に抜けることがなく、ゴルフクラブシャフト１００の耐久性を高めることができる。シャフト本体１１０の先端側端部にはクラブヘッド２００が装着されているため、スイング時あるいは打突時の衝撃が加わっても金属円筒１２０がシャフト本体１１０から先端側に抜けることはない。
【００２６】
金属円筒１２０の基端側円筒端面１２１と埋没凹円筒部１１２の基端側円筒端面１１３の当接長Ａは、０．０５ｍｍ〜０．５ｍｍの範囲内とすることが好ましい。この当接長Ａが０．０５ｍｍより小さいと、スイング時あるいは打突時の衝撃が加わったときに金属円筒１２０がシャフト本体１１０から基端側に抜けるおそれが生じる。この当接長Ａが０．５ｍｍより大きいと、シャフト本体１１０が薄くなりすぎ、金属円筒１２０の基端側円筒端面１２１と埋没凹円筒部１１２の基端側円筒端面１１３の当接部においてシャフト本体１１０の繊維強化樹脂層が凹んだり、切れたり折れたりするおそれが生じる。
【００２７】
図３、図４に示すように、金属円筒１２０の先端側円筒端面１２２は、シャフト本体１１０のシャフト先端側端面１１４に露出している。これにより、シャフト本体１１０のシャフト先端側端面１１４を目視することでシャフト先端側に金属円筒１２０が埋没しているのを確認することができる。また、金属円筒１２０がゴルフクラブシャフト１００の重心をシャフト先端側にシフトする作用を顕著に発現することができる。
【００２８】
本実施形態によるゴルフクラブシャフト１００は、シャフト全長が４３インチ以下となるように切断されたシャフト本体１１０において、金属円筒１２０によりシフトさせたシャフト重心の位置を、長手方向の先端部を０％として、長手方向の基端部を１００％としたときに、３９％〜４５％の範囲に設定している。また、金属円筒１２０によりシフトさせたシャフト重心の位置は、長手方向の先端部を０％として、長手方向の基端部を１００％としたときに、４１％〜４４％の範囲に設定することが好ましく、４２．５％〜４３．５％の範囲に設定することがより好ましい。
金属円筒１２０によりシフトさせたシャフト重心の位置を上記の範囲に設定することにより、ゴルフクラブシャフト１００の重量・振動数・トルク等の各種パラメータの調整を容易にすることができる。また、ゴルフクラブシャフト１００を短尺とした場合のメリットを維持しながら微妙なセッティングを要求することなく優れた振り心地を実現することができる。
金属円筒１２０によりシフトさせたシャフト重心の位置が３９％の位置よりも先端側にある場合（条件式の下限を超えた場合）、ゴルフクラブシャフト１００の重量・振動数・トルク等の各種パラメータの調整が困難になってしまう。
金属円筒１２０によりシフトさせたシャフト重心の位置が４５％の位置よりも基端側にある場合（条件式の上限を超えた場合）、ゴルフクラブシャフト１００を短尺とした場合のデメリット（振り心地の違和感、ボールが上がり難い）を解消することが困難になってしまう。また、当該デメリットを解消するためにクラブヘッドの重量を大きくした場合、短尺ゴルフクラブシャフトの全長の調整を含めた微妙なセッティングが要求されるおそれがある。
ちなみに、従来品の短尺用のシャフト本体（ゴルフクラブシャフト）におけるシャフト重心の位置は、４８％又は５０％の位置よりも基端側にある（条件式の上限を大幅に超えている）。
【００２９】
図５は、本実施形態によるゴルフクラブシャフト１００の３つのサンプルの特性を示している。図５に示すように、初期状態でシャフト全長が４３インチより大きく（例えば４５インチ以上）且つそれぞれ異なる特性を有するサンプル１、２、３を準備した。そして、各サンプル１−３について、シャフト基端側をシャフト先端側より大きい切断量で切断することにより、シャフト全長を４３インチ、４２インチ、４１インチ、４０インチとした場合のシャフト重心の位置をモニタリングした。
【００３０】
サンプル１のシャフト重心の位置は、シャフト全長が４３インチのときに４０．５％に設定されており、シャフト全長が４２インチのときに４０．２％に設定されており、シャフト全長が４１インチのときに３９．９％に設定されており、シャフト全長が４０インチのときに３９．６％に設定されている。
サンプル２のシャフト重心の位置は、シャフト全長が４３インチのときに４２．６％に設定されており、シャフト全長が４２インチのときに４２．３％に設定されており、シャフト全長が４１インチのときに４２．０％に設定されており、シャフト全長が４０インチのときに４１．７％に設定されている。
サンプル３のシャフト重心の位置は、シャフト全長が４３インチのときに４４．４％に設定されており、シャフト全長が４２インチのときに４４．１％に設定されており、シャフト全長が４１インチのときに４３．８％に設定されており、シャフト全長が４０インチのときに４３．５％に設定されている。
【００３１】
本実施形態によるゴルフクラブシャフト１００は、シャフト本体１１０の重量に対する金属円筒１２０の重量の比率を、１４％〜３３％の範囲に設定している。また、シャフト本体１１０の重量に対する金属円筒１２０の重量の比率は、１７％〜３０％の範囲に設定することが好ましく、２０％〜２５％の範囲に設定することがより好ましい。
シャフト本体１１０の重量に対する金属円筒１２０の重量の比率を上記の範囲に設定することにより、ゴルフクラブシャフト１００の重量・振動数・トルク等の各種パラメータの調整を容易にすることができる。また、金属円筒１２０による重心シフト効果を得やすくすることで、シャフト重心の位置を３９％〜４５％の範囲に容易に設定することができる。
シャフト本体１１０の重量に対する金属円筒１２０の重量の比率が３３％より大きい場合（条件式の上限を超えた場合）、ゴルフクラブシャフト１００の重量・振動数・トルク等の各種パラメータの調整が困難になってしまう。
シャフト本体１１０の重量に対する金属円筒１２０の重量の比率が１４％より小さい場合（条件式の下限を超えた場合）、金属円筒１２０による重心シフト効果が得られにくくなってしまう。例えば、シャフト重心の位置を３９％〜４５％の範囲に設定するのが困難になってしまう。
【００３２】
サンプル１におけるシャフト本体１１０の重量に対する金属円筒１２０の重量の比率は、シャフト全長が４３インチのときに２９．８％に設定されており、シャフト全長が４２インチのときに３０．５％に設定されており、シャフト全長が４１インチのときに３１．４％に設定されており、シャフト全長が４０インチのときに３２．２％に設定されている。
サンプル２におけるシャフト本体１１０の重量に対する金属円筒１２０の重量の比率は、シャフト全長が４３インチのときに２２．１％に設定されており、シャフト全長が４２インチのときに２２．７％に設定されており、シャフト全長が４１インチのときに２３．３％に設定されており、シャフト全長が４０インチのときに２４．０％に設定されている。
サンプル３におけるシャフト本体１１０の重量に対する金属円筒１２０の重量の比率は、シャフト全長が４３インチのときに１８．１％に設定されており、シャフト全長が４２インチのときに１８．６％に設定されており、シャフト全長が４１インチのときに１９．２％に設定されており、シャフト全長が４０インチのときに１９．８％に設定されている。
【００３３】
図６は、本実施形態によるゴルフクラブシャフト１００の長手方向（Ｘ（ｍｍ））のシャフト外径（Ｏ．Ｄ．（ｍｍ））の推移の一例を示している。図６は、シャフト全長が４３インチ以下となるように切断した後のデータである。
【００３４】
図６に示すように、シャフト本体１１０は、長手方向の基端側から先端側に向かって順に、第１の領域Ａ１と、第２の領域Ａ２と、第３の領域Ａ３とを有している。第１の領域Ａ１では、シャフト本体１１０のシャフト外径が、長手方向の基端側から先端側に向かって相対的に緩やかに減少する。第２の領域Ａ２では、シャフト本体１１０のシャフト外径が、長手方向の基端側から先端側に向かって相対的に急峻に減少する。第３の領域Ａ３では、シャフト本体１１０のシャフト外径の長手方向の相対的な変化量が最も小さくなっている（略ストレートになっている）。シャフト本体１１０の第１の領域Ａ１の外周面にはグリップ３００が取り付けられ、シャフト本体１１０の第３の領域Ａ３の内周面には金属円筒１２０が埋設される。
【００３５】
第１の領域Ａ１、第２の領域Ａ２、第３の領域Ａ３が長手方向に占める割合は、それぞれ、次の条件式を満足することが好ましい。すなわち、長手方向に占める第１の領域Ａ１の割合が３０％以上であり、長手方向に占める第２の領域Ａ２の割合が４５％〜６０％であり、長手方向に占める第３の領域Ａ３の割合が１０％〜２５％であることが好ましい。図６の例では、長手方向に占める第１の領域Ａ１の割合が３２％に設定されており、長手方向に占める第２の領域Ａ２の割合が５０％に設定されており、長手方向に占める第３の領域Ａ３の割合が１８％に設定されている。
【００３６】
長手方向に占める第１の領域Ａ１の割合を３０％以上とすることにより、第１の領域Ａ１をグリップ３００の取付領域として確保することができる。左右の両手でグリップ３００を握るとき、左手で握る領域に対して右手で握る領域が細いと、右手に必要以上の握力が入ってグリップ３００を握り締めてしまうので、ミスショットの確率が上がる傾向がある。
緩やかなテーパ形状の第１の領域Ａ１の割合を３０％以上として、グリップ３００の取付領域として確保すれば、左右の両手で握る領域の太さが略同一となり、右手に必要以上の握力が入ってグリップ３００を握り締めることがなくなるので、ナイスショットの確率を上げることが可能になる。
逆に、第１の領域Ａ１の割合が３０％未満の場合、グリップ３００の取付領域が第１の領域Ａ１と第２の領域Ａ２とに跨ることで、左手で握る領域に対して右手で握る領域が細くなり、右手に必要以上の握力が入ってグリップ３００を握り締めてしまうので、ミスショットの確率が上がってしまう。
【００３７】
長手方向に占める第３の領域Ａ３の割合を１０％〜２５％とすることにより、第３の領域Ａ３を金属円筒１２０の埋設領域として確保するとともに、ゴルフクラブシャフト１００の重量・振動数・トルク等の各種パラメータの調整を容易にすることができる。
上記の通り、シャフト本体１１０の第３の領域Ａ３の内周面には金属円筒１２０が埋設される。長手方向に占める第３の領域Ａ３の割合が１０％より小さい場合、第３の領域Ａ３を金属円筒１２０の埋設領域として確保することが難しくなってしまう。
長手方向に占める第３の領域Ａ３の割合が２５％より大きい場合、ゴルフクラブシャフト１００の重量・振動数・トルク等の各種パラメータの調整が困難になってしまう。
【００３８】
長手方向に占める第２の領域Ａ２の割合を４５％〜６０％とすることにより、優れた打ち心地（フィーリング）を実現するとともに、第１の領域Ａ１をグリップ３００の取付領域として確保し、第３の領域Ａ３を金属円筒１２０の埋設領域として確保することができる。
長手方向に占める第２の領域Ａ２の割合が４５％より小さい場合、ゴルフクラブシャフト１００（シャフト本体１１０）のテーパ率（縮径度合い）が急峻になり過ぎて、打ち心地（フィーリング）に違和感が生じるおそれがある。
長手方向に占める第２の領域Ａ２の割合が６０％より大きい場合、第１の領域Ａ１をグリップ３００の取付領域として確保できず、且つ／又は、第３の領域Ａ３を金属円筒１２０の埋設領域として確保できなくなるおそれがある。
【００３９】
図７は、本実施形態によるゴルフクラブシャフト１００と比較例１−３によるゴルフクラブシャフトの長手方向のシャフト外径の推移の一例を示す図である。本実施形態によるゴルフクラブシャフト１００の長手方向のシャフト外径の推移は、図６を参照して説明した通りである。これに対し、比較例１−３によるゴルフクラブシャフトは、第１の領域Ａ１、第２の領域Ａ２、第３の領域Ａ３のような区画がされておらず、長手方向の全域に亘って、略一定のテーパ率で、基端側から先端側に向かって縮径している。
【００４０】
以上のようなゴルフクラブシャフト１００を製造する際には、第１の領域Ａ１を形成するための緩やかなテーパ面（例えばテーパ率が５／１０００）と、第２の領域Ａ２を形成するための急峻なテーパ面（例えばテーパ率が１３／１０００）と、第３の領域Ａ３を形成するための略ストレート面とを外径形状として有する異形マンドレル（図示略）を準備する。次に、異形マンドレルの略ストレート面に金属円筒１２０の内周面を嵌め込む。次に、異形マンドレルと金属円筒１２０の外周面に、複数のプリプレグを積層巻回していく。次に、複数のプリプレグを加熱硬化して、シャフト本体１１０と金属円筒１２０とが一体化したゴルフクラブシャフト１００を形成する。最後に、ゴルフクラブシャフト１００から異形マンドレルを引き抜いて、当該異形マンドレルを除去する。
【００４１】
図８は、シャフト本体１１０を構成する積層プリプレグの一例を示している。この積層プリプレグは、金属円筒１２０の上層に、カーボンプリプレグＰ１−Ｐ８をこの順に積層して構成される。カーボンプリプレグＰ１、Ｐ４は、長繊維方向がシャフト長手方向と平行をなす０°プリプレグであり、長手方向の先端側の一部に配置される部分プリプレグである。カーボンプリプレグＰ２、Ｐ３は、長繊維方向がシャフト長手方向に対して±４５°をなす一対のバイアスプリプレグであり、長手方向の全長に亘る全長プリプレグである。カーボンプリプレグＰ５−Ｐ７は、長繊維方向がシャフト長手方向と平行をなす０°プリプレグであり、長手方向の全長に亘る全長プリプレグである。カーボンプリプレグＰ８は、長繊維方向がシャフト長手方向と平行をなす０°プリプレグであり、異形マンドレルの先端側に巻回される補強プリプレグである。なお、図８で例示した積層プリプレグは一例にすぎず、積層プリプレグの枚数や構造等については、種々の設計変更が可能である。
【００４２】
ゴルフ上級者の複数のテスターを対象として、本実施形態によるゴルフクラブシャフト１０、及び、従来品の短尺ゴルフクラブシャフトに重量を大きくしたクラブヘッドを装着したゴルフクラブシャフトによる試打会を行った。複数のテスターの印象は、総じて、本実施形態によるゴルフクラブシャフト１０の方が打ち心地（フィーリング）に優れているというものであった。
【００４３】
以上の実施形態では、シャフト本体１１０の内周面に埋設した金属円筒１２０を「重心シフト部材、おもり」として、シャフト重心の位置を調整する場合を例示して説明したが、「重心シフト部材、おもり」の具体的態様については自由度があり、種々の設計変更が可能である。例えば、シャフト本体１１０を構成するプリプレグに金属含有プリプレグを含ませて、これを「重心シフト部材、おもり」とすることにより、シャフト重心の位置を調整してもよい。また、シャフト１１０を構成するプリプレグの積層構造に工夫を施して、これを「重心シフト部材、おもり」とすることにより、シャフト重心の位置を調整してもよい。
【産業上の利用可能性】
【００４４】
本実施形態によるゴルフクラブシャフト及びゴルフクラブは、例えば、ゴルフのプレイヤーに対して、短尺とした場合のメリットを維持しながら微妙なセッティングを要求することなく優れた振り心地のゴルフクラブシャフト及びゴルフクラブを提供できる点において好適である。
【符号の説明】
【００４５】
１０  ゴルフクラブ
１００  ゴルフクラブシャフト
１１０  シャフト本体
１１１  内壁
１１２  埋没凹円筒部
１１３  基端側円筒端面
１１４  シャフト先端側端面
１２０  金属円筒（重心シフト部材、おもり）
１２１  基端側円筒端面
１２２  先端側円筒端面
２００  クラブヘッド
３００  グリップ
Ａ１  第１の領域
Ａ２  第２の領域
Ａ３  第３の領域
【図１】
2020129114.tif 000003
【図２】
2020129114.tif 000004
【図３】
2020129114.tif 000005
【図４】
2020129114.tif 000006
【図５】
2020129114.tif 000007
【図６】
2020129114.tif 000008
【図７】
2020129114.tif 000009
【図８】
2020129114.tif 000010
【国際調査報告】
2020129114.tif 000011
2020129114.tif 000012
2020129114.tif 000013
2020129114.tif 000014